(57)【要約】【課題】  ＴＶ番組配信サーバとＷｅｂ番組制御サーバを設置し、ＴＶ番組配と連携したＷｅｂ番組を同期して送出し、顧客に新たな番組サービスを提供できるＣＡＴＶにおけるＷＥＢ番組の配信システムとＷＥＢ番組の配信方法の提案を課題とする。【解決手段】  ＴＶ番組受信・送出装置９と、Ｗｅｂ管理サーバ１１と、Ｗｅｂデータを重畳・分離するケーブルモデム１０と、ＴＶ番組受信・送出装置９の受信制御と所定のチャンネルへの送出制御を行うＴＶ番組配信サーバ３とＷｅｂ番組の読出と配信制御、Ｗｅｂ番組の受信転送制御などを行うＷｅｂ番組制御サーバ４とＷｅｂ番組の送出制御、顧客データ管理、顧客ログ管理などを行うコンテンツ管理サーバ５と受信端末１ａの操作データ受信、種別判定、各種サーバへの振分制御、などを行う端末受信サーバ７とＴＶ番組データ、Ｗｅｂ番組データ、ＴＶ番組タイムテーブル、Ｗｅｂ番組タイムテーブルなどを記憶するデータベースサーバ６と構内通信回線Ｌ２からなるＷｅｂ番組配信装置２と、で構成する。【選択図】  図１
2007037070.tif 000002
【特許請求の範囲】
【請求項１】
セットトップボックスと受信端末とで構成される複数のＣＡＴＶ装置に、ＣＡＴＶ回線を経由してテレビ（以下  ＴＶ云う）番組を配信するＣＡＴＶシステムにあって、
複数のＴＶ番組を受信し、所定の送信チャンネルに送出するＴＶ番組受信・送出装置と、
公衆回線を経由して外部のＷｅｂ端末との通信制御を行うＷｅｂ管理サーバと、
前記ＴＶ番組受送出装置からのＴＶ番組データを変調出力すると共に前記Ｗｅｂ管理サーバ経由のＷｅｂデータを重畳・分離するケーブルモデムと、
前記ＴＶ番組受信・送出装置の受信制御を行うＴＶ番組受信制御部と所定のチャンネルに送出制御するＴＶ番組送出制御部とを有するＴＶ番組配信サーバと、Ｗｅｂ番組を読出し配信制御するＷｅｂ番組配信制御部、Ｗｅｂ番組を受信転送するＷｅｂ番組受信制御部、メール制御部、ＰＣ電話制御部、ＴＶ電話制御部などを有するＷｅｂ番組制御サーバと、Ｗｅｂ番組の送出制御を行うＷｅｂ番組送出制御部と顧客の住所、契約ＩＤ、他の顧客データを管理する顧客データ管理部と顧客のログイン認証を行う顧客ログ管理部などを有するコンテンツ管理サーバと、前記受信端末の操作データを受信する操作データ受信部と該操作データの種別を判定し所定のサーバへ振分制御するデータ判定・振分制御部などを有する端末受信サーバと、番組名、種別、番組ＩＤなどのＴＶ番組データ、Ｗｅｂ番組データ、ＴＶ番組タイムテーブル、Ｗｅｂ番組タイムテーブルなどを記憶するデータベースサーバとからなるＷｅｂ番組配信装置とで構成することを特徴とするＣＡＴＶにおけるＷｅｂ番組の配信システム。
【請求項２】
前記Ｗｅｂ番組制御サーバに３台以上の前記ＣＡＴＶ端末装置が接続され、画像データ、音声データを合成交換制御するＴＶ会議制御部と、前記コンテンツサーバに複数の顧客のグループ化を管理するグループ管理部とを追加設置すること特徴とする請求項１に記載のＣＡＴＶにおけるＷｅｂ番組の配信システム。
【請求項３】
おしゃべり広場のＷｅｂ番組を配信すると共に、
前記Ｗｅｂ番組制御サーバに、複数の前記ＣＡＴＶ端末装置が接続され、画像データ、音声データを合成交換制御するおしゃべり広場制御部と、前記コンテンツサーバに複数の顧客のグループ化を管理するグループ管理部とを追加設置すること特徴とする請求項１に記載のＣＡＴＶにおけるＷｅｂ番組の配信システム。
【請求項４】
前記コンテンツ管理サーバに、前記受信端末からの注文データを登録すると共に該注文データを所定の契約店に電子メール又はＦＡＸ通信にて転送する受発注管理部と、前記Ｗｅｂ番組制御サーバに、配信された御用聞き番組に連動して御用聞き制御する御用聞き制御部とを追加設置すること特徴とする請求項１に記載のＣＡＴＶにおけるＷｅｂ番組の配信システム。
【請求項５】
前記Ｗｅｂ番組制御サーバに、前記受信端末に、起動及び休止、受信チャンネルの選択、警報の発呼などの制御指令を行う受信端末制御部を追加設置すること特徴とする請求項１に記載のＣＡＴＶにおけるＷｅｂ番組の配信システム。
【請求項６】
手書きメール番組を配信すると共に、
前記Ｗｅｂ番組制御サーバに、前記受信端末の手書きパットやマウスなどの操作データをＦＡＸデータとして認識記憶する共に指定の宛て先に画像メール又はＦＡＸとして送信する手書きメール制御部を追加設置すること特徴とする請求項１に記載のＣＡＴＶにおけるＷｅｂ番組の配信システム。
【請求項７】
前記Ｗｅｂ番組制御サーバに、災害情報、お知らせ、防犯情報、安否確認などの広報番組を所定の顧客に限定して送出する広報放送制御部を追加設置すること特徴とする請求項１に記載のＣＡＴＶにおけるＷｅｂ番組の配信システム。
【請求項８】
マーケッティング番組を配信すると共に、
前記Ｗｅｂ番組制御サーバに、前記受信端末のマーケッテイングデータを収拾するマーケティング制御部を追加設置すること特徴とする請求項１に記載のＣＡＴＶにおけるＷｅｂ番組の配信システム。
【請求項９】
前記Ｗｅｂ番組制御サーバに、ＴＶ番組の動画像付きの番組予定表若しくは番組リストデータを作成し、Ｗｅｂ番組として配信する番組表作成制御部を追加設置すること特徴とする請求項１に記載のＣＡＴＶにおけるＷｅｂ番組の配信システム。
【請求項１０】
前記Ｗｅｂ番組制御サーバに、前記受信端末から要求されたＴＶ番組を指定のＣＡＴＶチャンネル若しくはＷｅｂ番組として配信するＶＯＤ（Ｖｉｄｅｏ  Ｏｎ  Ｄｅｍａｎｄ）制御部を追加設置すること特徴とする請求項１に記載のＣＡＴＶにおけるＷｅｂ番組の配信システム。
【請求項１１】
前記コンテンツ管理サーバに、顧客の課金データを管理する課金管理部と、前記受信端末から要求されたＴＶ番組を一時的に記憶する番組保存制御部とを追加設置すること特徴とする請求項１に記載のＣＡＴＶにおけるＷｅｂ番組の配信システム。
【請求項１２】
前記端末サーバに、災害警報情報、公共のお知らせ情報、緊急情報、ＦＭ緊放送、コマーシャル番組などのＷｅｂデータを受信し、Ｗｅｂ番組として記憶制御するＷｅｂデータ受信部を追加設置すること特徴とする請求項１に記載のＣＡＴＶにおけるＷｅｂ番組の配信システム。
【請求項１３】
セットトップボックスと受信端末とで構成される複数のＣＡＴＶ装置に、ＣＡＴＶ回線を経由してＴＶ番組を配信するＣＡＴＶシステムにあって、
複数のＴＶ番組を受信し、所定の送信チャンネルに送出するＴＶ番組受信・送出装置と、
公衆回線を経由して外部のＷｅｂ端末との通信制御を行うＷｅｂ管理サーバと、
前記ＴＶ番組受送出装置からのＴＶ番組データを変調出力すると共に前記Ｗｅｂ管理サーバ経由のＷｅｂデータを重畳・分離するケーブルモデムと、
前記ＴＶ番組受信・送出装置の受信制御を行うＴＶ番組受信制御部と所定のチャンネルに送出制御するＴＶ番組送出制御部とを有するＴＶ番組配信サーバと、Ｗｅｂ番組を読出し配信制御するＷｅｂ番組配信制御部、Ｗｅｂ番組を受信転送するＷｅｂ番組受信制御部、メール制御部、ＰＣ電話制御部、ＴＶ電話制御部などを有するＷｅｂ番組制御サーバと、Ｗｅｂ番組の送出制御を行うＷｅｂ番組送出制御と顧客の住所、契約ＩＤ他顧客データを管理する顧客データ管理部と顧客のログイン認証を行う顧客ログ管理部などを有するコンテンツ管理サーバと、前記受信端末の操作データを受信する操作データ受信部と該操作データの種別を判定し所定のサーバへ振分制御するデータ判定・振分制御部などを有する端末受信サーバとからなるＷｅｂ番組配信装置、とを用いて、
前記ＴＶ番組に連動するＷｅｂ番組は、該ＴＶ番組の番組コードとタイムテーブルに沿って制作登録され、画面の一部を操作ボタンにとする場合は、クリティカルマップデータや操作ボタンデータなどを挿入して前記データサーバに記憶登録され、該ＴＶ番組は前記データサーバに予め登録されたＴＶ番組タイムテーブルに沿ってＴＶ番組受信・送出装置より送出され、バーナ広告、操作画面、お知らせなどのＷｅｂ番組は、一般的に前記データサーバに予め登録されたＷｅｂ番組タイムテーブルに沿って送出され、前記ＴＶ番組に連動するＷｅｂ番組は、前記ＴＶ番組のタイムテーブルに同期して送出されることを特徴とするＣＡＴＶにおけるＷｅｂ番組の配信方法。
【請求項１４】
前記端末受信サーバの操作データ受信部は、前記受信端末よりの操作データを受信し、前記データ判定・振分制御部は、受信端末に配信されているＷｅｂ番組を参照して該受信データの種別を判定すると共に該データを振分けて転送することを特徴とする請求項１３に記載のＣＡＴＶにおけるＷｅｂ番組の配信方法。
【請求項１５】
前記コンテンツ管理サーバに、番組保存制御部を設け、顧客が希望するＴＶ番組データを、前記データベースサーバに設置された顧客保存データエリアに保存すると共に前記Ｗｅｂ番組制御サーバに追加設置されたＶＯＤ制御部は、該顧客保存データのＷｅｂ番組として送出することを特徴とする請求項１３に記載のＣＡＴＶにおけるＷｅｂ番組の配信方法。
【請求項１６】
前記Ｗｅｂ番組制御サーバの受信端末制御部は、前記データベースサーバに予め登録された顧客又はグループの受信端末の制御機能を有し、災害警報情報、緊急お知らせ情報、緊急情報、ＦＭ緊放送、コマーシャル番組などのＷｅｂ番組を送出に際して番組ごとに設定されたグループの受信端末の起動及び休止、受信チャンネルの選択などの制御を行うことを特徴とする請求項１３に記載のＣＡＴＶにおけるＷｅｂ番組の配信方法。
【請求項１７】
前記端末受信サーバのＷｅｂデータ受信部が外部Ｗｅｂサーバより緊急情報のＷｅｂデータを受信すると、該Ｗｅｂデータは前記データサーバに記憶登録されると共に、広報放送制御部は予め登録されたグループの受信端末にＷｅｂ番組を送出し、番組ごとに設定されたグループの受信端末の起動、受信チャンネルの選択などの制御を行うことを特徴とする請求項１３に記載のＣＡＴＶにおけるＷｅｂ番組の配信方法。
【請求項１８】
前記Ｗｅｂ番組送出制御部は、ＴＶ電話、ＴＶ会議などの操作画面のＷｅｂ番組を送出し、該操作画面が操作されると、操作データは前記操作データ受信部を経由してＴＶ電話制御部又はＴＶ会議制御部に転送され、該両制御部は画像データ及び音声データをＡＶデータ受信部、若しくはＷｅｂデー受信部を経由して受信し、これらの画像データ及び音声データは合成され、Ｗｅｂデータとして送出されることを特徴とする請求項１３に記載のＣＡＴＶにおけるＷｅｂ番組の配信方法。
【請求項１９】
前記Ｗｅｂ番組制御サーバの御用聞き制御部は、御用聞き番組を受信している受信端末からの注文データを受けると、該注文データはデータベースサーバに仮登録され、受発注管理部は、該当商品の取り扱い先のデータベースを参照し、該注文データを電子メール又はＦＡＸ手段を用いて送信するることを特徴とする請求項１３に記載のＣＡＴＶにおけるＷｅｂ番組の配信方法。
【請求項２０】
前記Ｗｅｂ番組制御サーバの番組表作成制御部は、前記データベースサーバに登録しているＴＶ番組データ及びＴＶ番組タイムテーブルを用いて予定番組表の番組を作成し、Ｗｅｂデータとして登録することを特徴とする請求項１３に記載のＣＡＴＶにおけるＷｅｂ番組の配信方法。
【請求項２１】
前記コンテンツ管理サーバのＷｅｂ番組送出制御部は、マーケティング用Ｗｅｂ番組を配信し、前記受信端末が操作されると操作データが返信され、前記端末受信サーバのデータ判定・振分制御部は、受信した該操作データを前記データベースサーバのマーケティグデータエリアに所定の形式で登録することを特徴とする請求項１３に記載のＣＡＴＶにおけるＷｅｂ番組の配信方法。
【請求項２２】
前記Ｗｅｂ番組制御サーバのＶＯＤ制御部は、前記受信端末からの送信請求のＴＶ番組若しくは顧客保存データ検索し、コンテンツ管理サーバのＷｅｂ番組送出制御部に送出指令を出す、該Ｗｅｂ番組送出制御部は、該当番組をリアルタイム又は時間軸圧縮データとして前記受信端末宛に送出することを特徴とする請求項１３に記載のＣＡＴＶにおけるＷｅｂ番組の配信方法。
【請求項２３】
前記ＴＶ番組配信サーバのＴＶ番組送出制御部は、送出チャンネルを指定し、該当番組をリアルタイム又は時間軸圧縮データ形式として送出する指令を出すことを特徴とする請求項１３に記載のＣＡＴＶにおけるＷｅｂ番組の配信方法。
【発明の詳細な説明】
【技術分野】
【０００１】  本発明は、ＣＡＴＶネットワークに於けるテレビ番組とＷｅｂ番組の配信システムとＷｅｂ番組の配信方法に関わり、特にテレビ番組とＷｅｂ番組の連携方法に係わる。
【背景技術】
【０００２】  図４に示す従来技術によるＣＡＴＶ番組の配信システム図を用いて説明する。
ＣＡＴＶ局が配信するＴＶ番組は、通信衛星もしくは光ネットワーク経由で受信した番組や自主制作した番組である。自主制作した番組及びオフラインで受信した番組データは、番組コードと共にデータベースサーバ６に記憶登録されている。自主制作番組にはオンラインで制作される物もある。
ＴＶ番組配信サーバ３は、に予め登録されている番組コード、受信チャンネル、配信チャンネル、配信タイムテーブルなどのデータに基づいて、ＴＶ番組受信・送出装置９にＴＶ番組の受信及び配信制御指令を出す。
ＴＶ番組受信・送出装置９には、オンライン受信番組、データベース番組、オンライン放送番組などが供給される。
該ＴＶ番組受信・送出装置９は、以下の機能を有する。
（１）配信制御指令に基づき、指定受信チャンネルの番組データのデコードと指定送出チャンネルへのエンコード
（２）自主制作番組データの指定送出チャンネルへのエンコード
ＣＡＴＶ放送の配信チャンネルは、数十から数百のチャンネルを有している。【０００３】  ケーブルモデム１０は、ＣＡＴＶ回線Ｌ１に伝送する為の複数チャンネルの変調機能とＷｅｂデータを重畳する為のハブ機能を合わせ持っている。ＣＡＴＶ回線Ｌ１は金属導線ケーブルが主流であったが、最近は光ケーブルの比率が高まった。
Ｗｅｂデータはインターネット接続に利用されており、ＣＡＴＶ局はインターネットのプロバイダの役割を併せ持ち、外部公衆回線Ｎへの接続はＷｅｂ管理サーバ１１によりセキュリティ管理され、又、局内のＷｅｂ番組制御サーバ４も該Ｗｅｂ管理サーバ１１に接続されている。
Ｗｅｂ番組は、Ｗｅｂ番組制御サーバ４によって提供されるが、ＴＶ番組とは独立して運用及び配信されている。【０００４】  ＣＡＴＶ端末装置１は、所定のチャンネルを選択すると共に番組データの復調機能とＷｅｂチャンネルのス  プリッタ機能とを有するセットトップボックス１ｂと、ＴＶ受像機（以下  受信端末と略称する）１ａ及びＷｅｂ番組を利用する為のノートパソコン１ｃとで構成されている。
顧客は、ＴＶ番組の視聴は受信端末１ａを利用し、インターネットやＷｅｂ番組はノートパソコン１ｃを利用する。最近、ブラウザ機能を内蔵した受信端末もあり必ずしも独立別個の利用形態では無くなっている。【０００５】  しかしながら、ＣＡＴＶ局側はＴＶ番組の送出とＷｅｂ組の送出とは独立形態のシステムであり、番組に関連した付加情報の提供、バーナ広告などのＴＶ番組に同期連携したＷｅｂ番組サービスを提供することが出来ない。又、ＣＡＴＶ利用者はテレビとコンピュータの２頭使いとなり大変な煩雑さを強いられている。
【発明の開示】
【発明が解決しようとする課題】
【０００６】  以上に説明した問題点に鑑み、本発明はＴＶ番組配信サーバとＷｅｂ番組制御サーバを設置し、ＴＶ番組配と連携したＷｅｂ番組を同期して送出し、顧客に新たな番組サービスを提供できるＣＡＴＶにおけるＷＥＢ番組の配信システムとＷＥＢ番組の配信方法の提案を課題とする。
【課題を解決するための手段】
【０００７】  ＣＡＴＶにおけるＷｅｂ番組の配信システムを、
セットトップボックスと受信端末とで構成される複数のＣＡＴＶ装置に、ＣＡＴＶ回線を経由してテレビ（以下  ＴＶ云う）番組を配信するＣＡＴＶシステムにあって、
複数のＴＶ番組を受信し、所定の送信チャンネルに送出するＴＶ番組受信・送出装置と、
公衆回線を経由して外部のＷｅｂ端末との通信制御を行うＷｅｂ管理サーバと、
ＴＶ番組受信・送出装置からのＴＶ番組データを変調出力すると共にＷｅｂ管理サーバ経由のＷｅｂデータを重畳・分離するケーブルモデムと、
ＴＶ番組受信・送出装置の受信制御を行うＴＶ番組受信制御部と所定のチャンネルに送出制御するＴＶ番組送出制御部とを有するＴＶ番組配信サーバと、Ｗｅｂ番組を読出し配信制御するＷｅｂ番組配信制御部、Ｗｅｂ番組を受信転送するＷｅｂ番組受信制御部、メール制御部、ＰＣ電話制御部部、ＴＶ電話制御部などを有するＷｅｂ番組制御サーバと、Ｗｅｂ番組の送出制御を行うＷｅｂ番組送出制御部と顧客の住所、契約ＩＤ、他の顧客データを管理する顧客データ管理部と顧客のログイン認証を行う顧客ログ管理部などを有するコンテンツ管理サーバと、受信端末の操作データを受信する操作データ受信部と該操作データの種別を判定し所定のサーバへ振分制御するデータ判定・振分制御部などを有する端末受信サーバと、番組名、種別、番組ＩＤなどのＴＶ番組データ、Ｗｅｂ番組データ、ＴＶ番組タイムテーブル、Ｗｅｂ番組タイムテーブルなどを記憶するデータベースサーバとからなるＷｅｂ番組配信装置とで構成する。【０００８】  Ｗｅｂ番組制御サーバに３台以上のＣＡＴＶ端末装置が接続され、画像データ、音声データを合成交換制御するＴＶ会議制御部と、コンテンツサーバに複数の顧客のグループ化を管理するグループ管理部とを追加設置する。【０００９】  おしゃべり広場のＷｅｂ番組を配信すると共に、
Ｗｅｂ番組制御サーバに、複数のＣＡＴＶ端末装置が接続され、画像データ、音声データを合成交換制御するおしゃべり広場制御部と、コンテンツサーバに複数の顧客のグループ化を管理するグループ管理部とを追加設置する。【００１０】  コンテンツ管理サーバに、受信端末からの注文データを登録すると共に該注文データを所定の契約店に電子メール又はＦＡＸ通信にて転送する受発注管理部と、Ｗｅｂ番組制御サーバに、配信された御用聞き番組に連動して御用聞き制御する御用聞き制御部とを追加設置する。【００１１】  Ｗｅｂ番組制御サーバに、受信端末に、起動及び休止、受信チャンネルの選択、警報の発呼などの制御指令を行う受信端末制御部を追加設置する。【００１２】  手書きメール番組を配信すると共に、
Ｗｅｂ番組制御サーバに、受信端末の手書きパットやマウスなどの操作データを画像データ又はＦＡＸデータとして認識記憶する共に指定の宛て先に画像メール又はＦＡＸとして送信する手書きメール制御部を追加設置する。【００１３】  Ｗｅｂ番組制御サーバに、災害情報、お知らせ、防犯情報、安否確認などの広報番組を所定の顧客に限定して送出する広報放送制御部を追加設置する。【００１４】  マーケッティング番組を配信すると共に、
Ｗｅｂ番組制御サーバに、受信端末のマーケッテイングデータを収拾するマーケティング制御部を追加設置する。【００１５】  Ｗｅｂ番組制御サーバに、ＴＶ番組の動画像付きの番組予定表若しくは番組リストデータを作成し、Ｗｅｂ番組として配信する番組表作成制御部を追加設置する。【００１６】  Ｗｅｂ番組制御サーバに、受信端末から要求されたＴＶ番組を指定のＣＡＴＶチャンネル若しくはＷｅｂ番組として配信するＶＯＤ（Ｖｉｄｅｏ  Ｏｎ  Ｄｅｍａｎｄ）制御部を追加設置する。【００１７】  コンテンツ管理サーバに、顧客の課金データを管理する課金管理部と、受信端末から要求されたＴＶ番組を一時的に記憶する番組保存制御部とを追加設置する。【００１８】  端末サーバに、災害警報情報、公共のお知らせ情報、緊急情報、ＦＭ緊放送、コマーシャル番組などのＷｅｂデータを受信し、Ｗｅｂ番組として記憶制御するＷｅｂデータ受信部を追加設置する。【００１９】  ＣＡＴＶにおけるＷｅｂ番組の配信方法を
セットトップボックスと受信端末とで構成される複数のＣＡＴＶ装置に、ＣＡＴＶ回線を経由してＴＶ番組を配信するＣＡＴＶシステムにあって、
複数のＴＶ番組を受信し、所定の送信チャンネルに送出するＴＶ番組受信・送出装置と、
公衆回線を経由して外部のＷｅｂ端末との通信制御を行うＷｅｂ管理サーバと、
ＴＶ番組受送出装置からのＴＶ番組データを変調出力すると共にＷｅｂ管理サーバ経由のＷｅｂデータを重畳・分離するケーブルモデムと、
ＴＶ番組受信・送出装置の受信制御を行うＴＶ番組受信制御部と所定のチャンネルに送出制御するＴＶ番組送出制御部とを有するＴＶ番組配信サーバと、Ｗｅｂ番組を読出し配信制御するＷｅｂ番組配信制御部、Ｗｅｂ番組を受信転送するＷｅｂ番組受信制御部、メール制御部、ＰＣ電話制御部、ＴＶ電話制御部などを有するＷｅｂ番組制御サーバと、Ｗｅｂ番組の送出制御を行うＷｅｂ番組送出制御と顧客の住所、契約ＩＤ他  顧客データを管理する顧客データ管理部と顧客のログイン認証を行う顧客ログ管理部などを有するコンテンツ管理サーバと、受信端末の操作データを受信する操作データ受信部と該操作データの種別を判定し所定のサーバへ振分制御するデータ判定・振分制御部などを有する端末受信サーバとからなるＷｅｂ番組配信装置、とを用いて、
ＴＶ番組に連動するＷｅｂ番組は、該ＴＶ番組の番組コードとタイムテーブルに沿って制作登録され、画面の一部を操作ボタンにとする場合は、クリティカルマップデータや操作ボタンデータなどを挿入してデータサーバに記憶登録され、該ＴＶ番組はデータサーバに予め登録されたＴＶ番組タイムテーブルに沿ってＴＶ番組受信・送出装置より送出され、バーナ広告、操作画面、お知らせなどのＷｅｂ番組は、一般的にデータサーバに予め登録されたＷｅｂ番組タイムテーブルに沿って送出され、ＴＶ番組に連動するＷｅｂ番組は、ＴＶ番組のタイムテーブルに同期して送出される。【００２０】  端末受信サーバの操作データ受信部は、受信端末よりの操作データを受信し、データ判定・振分制御部は、受信端末に配信されているＷｅｂ番組を参照して該受信データの種別を判定すると共に該データを振分けて転送する。【００２１】  コンテンツ管理サーバに、番組保存制御部を設け、顧客が希望するＴＶ番組データを、データベースサーバに設置された顧客保存データエリアに保存すると共にＷｅｂ番組制御サーバに追加設置されたＶＯＤ制御部は、該顧客保存データのＷｅｂ番組として送出する。【００２２】  Ｗｅｂ番組制御サーバの受信端末制御部は、データベースサーバに予め登録された顧客又はグループの受信端末の制御機能を有し、災害警報情報、緊急お知らせ情報、緊急情報、ＦＭ緊放送、コマーシャル番組などのＷｅｂ番組を送出に際して番組ごとに設定されたグループの受信端末の起動及び休止、受信チャンネルの選択などの制御を行う。【００２３】  端末受信サーバのＷｅｂデータ受信部が外部Ｗｅｂサーバより緊急情報のＷｅｂデータを受信すると、該Ｗｅｂデータはデータサーバに記憶登録されると共に、広報放送制御部は予め登録されたグループの受信端末にＷｅｂ番組を送出し、番組ごとに設定されたグループの受信端末の起動、受信チャンネルの選択などの制御を行う。【００２４】  Ｗｅｂ番組送出制御部は、ＴＶ電話、ＴＶ会議などの操作画面のＷｅｂ番組を送出し、該操作画面が操作されると、操作データは操作データ受信部を経由してＴＶ電話制御部又はＴＶ会議制御部に転送され、該両制御部は画像データ及び音声データをＡＶデータ受信部、若しくはＷｅｂデー受信部を経由して受信し、これらの画像データ及び音声データは合成され、Ｗｅｂデータとして送出される。【００２５】  Ｗｅｂ番組制御サーバの御用聞き制御部は、御用聞き番組を受信している受信端末からの注文データを受けると、該注文データはデータベースサーバに仮登録され、受発注管理部は、該当商品の取り扱い先のデータベースを参照し、該注文データを電子メール又はＦＡＸ手段を用いて送信する。【００２６】  Ｗｅｂ番組制御サーバの番組表作成制御部は、データベースサーバに登録しているＴＶ番組データ及びＴＶ番組タイムテーブルを用いて予定番組表の番組を作成し、Ｗｅｂデータとして登録する。【００２７】  コンテンツ管理サーバのＷｅｂ番組送出制御部は、マーケティング用Ｗｅｂ番組を配信し、受信端末が操作されると操作データが返信され、端末受信サーバのデータ判定・振分制御部は、受信した該操作データを前記データベースサーバのマーケティングデータエリアに所定の��式で登録する。【００２８】  Ｗｅｂ番組制御サーバのＶＯＤ制御部は、受信端末からの送信請求のＴＶ番組もしくは顧客保存データ検索し、コンテンツ管理サーバのＷｅｂ番組送出制御部に送出指令を出し、該Ｗｅｂ番組送出制御部は、該当番組をリアルタイム又は時間軸圧縮データとして受信端末宛に送出する。【００２９】  ＴＶ番組配信サーバのＴＶ番組送出制御部は、送出チャンネルの指定し、該当番組をリアルタイム又は時間軸圧縮データ形式として送出する指令を出す。
【発明の効果】
【００３０】  （１）ＴＶ番組受信・送出装置の受信制御を行うＴＶ番組配信サーバ３と、Ｗｅｂ番組を読出し配信制御するＷｅｂ番組制御サーバ４と、Ｗｅｂ番組の送出制御、顧客データ管理、顧客のログイン認証などをを行うコンテンツ管理サーバ５と、受信端末１ａの操作データを受信し、操作データの種別を判定し所定のサーバへ振分制御する端末受信サーバ７とで構成するＷｅｂ番組配信装置を設置することにより、ＴＶ番組に同期してＷｅｂ番組を配信することが出来る。
（２）Ｗｅｂ番組制御サーバ４に、広報放送制御部４９２と受信端末制御部４９とを追加設置することにより、端末受信サーバ７のＷｅｂデータ受信部７４が外部Ｗｅｂサーバより緊急情報のＷｅｂデータを受信すると、該Ｗｅｂデータはデータサーバ６に記憶登録されると共に、広報放送制御部４９２は予め登録されたグループの受信端末１ａにＷｅｂ番組を送出し、番組ごとに設定されたグループの受信端末の起動、受信チャンネルの選択などの制御を行うことが出来る。
（３）おしゃべり広場のＷｅｂ番組を配信すると共に、Ｗｅｂ番組制御サーバ４に、おしゃべり広場制御部４９３と、コンテンツサーバ５に複数の顧客のグループ化を管理するグループ管理部５４とを追加設置することにより、複数のＣＡＴＶ端末装置１ａ，１ａ’．．に画像と音声によるおしゃべり広場を提供することができる。
【発明を実施するための最良の形態】
【実施例】
【００３１】  図１に示す本発明におる、ＷＥＢ番組の配信システムの第一の実施例の基本構成図を用いて、システムの基本構成を説明する。
本発明のＣＡＴＶにおけるＷＥＢ配信システムは、
複数のＴＶ番組を受信し、所定の送信チャンネルに送出するＴＶ番組受信・送出装置９と、
公衆回線Ｎを経由して外部のＷｅｂ端末との通信制御を行うＷｅｂ管理サーバ１１と、
ＴＶ番組受信・送出装置９からのＴＶ番組データを変調出力すると共にＷｅｂ管理サーバ１１経由のＷｅｂデータを重畳・分離するケーブルモデム１０と、
ＴＶ番組受信・送出装置９の受信制御と所定のチャンネルへの送出制御を行うＴＶ番組配信サーバ３と、Ｗｅｂ番組の読出と配信制御、Ｗｅｂ番組の受信転送制御などを行うＷｅｂ番組制御サーバ４と、Ｗｅｂ番組の送出制御、顧客データ管理、顧客ログ管理などを行うコンテンツ管理サーバ５と、受信端末１ａの操作データ受信、種別判定、各種サーバへの振分制御、などを行う端末受信サーバ７と、ＴＶ番組データ、Ｗｅｂ番組データ、ＴＶ番組タイムテーブル、Ｗｅｂ番組タイムテーブルなどを記憶するデータベースサーバ６と、構内通信回線Ｌ２からなるＷｅｂ番組配信装置２とで基本構成されている。【００３２】  次いで本願による、Ｗｅｂ番組の配信システムの概略動作を説明する。
ＣＡＴＶ局が配信する番組とサービスは、アナログＴＶ番組、デジタルＴＶ番組、Ｗｅｂコンテンツ番組、インタネットのプロバイダサービスなどである。顧客はＣＡＴＶ回線及びＷｅｂ管理サーバを経由して公衆回線Ｎに接続されている外部ＰＣや外部Ｗｅｂサイトとの通信が出来る。
ＴＶ番組受信・送出装置９には、衛星通信回線や光通信回線経由の多チャンネル番組、データベースサーバ６に登録保存されている番組、オンラインの自主制作番組など多様な番組が入力される。通信回線経由の番組はチャンネル毎にデコードされ、アナログＴＶ番組及びデジタルＴＶ番組として、数十から数百の独立したチャンネルで配信され、さらに、Ｗｅｂデータ及びＷｅｂ番組が重畳されて配信される。ＣＡＴＶ回線Ｌ１は同軸ケーブル若しくは光ケーブルで構成され、信号分配器又はスプリッターを経由してＣＡＴＶ端末装置に接続される。
ＣＡＴＶ局の配信用ＴＶ番組は、殆どが衛星回線や光回線を経由して配信を受け再配信しており、自主制作番組及びＷｅｂ番組は独自性を発揮出きる番組サービスである。
自主制作番組の送出は、決められた特定のチャンネルが割り当てられ、一方、個別顧客及び特定グループを対象とした複数のチャンネルも割り当てられている。【００３３】  ＴＶ番組配信サーバ３は、データベスサーバ６に予め登録されているＴＶ番組タイムテーブルを参照して、ＴＶ番組受信・送出装置９の番組毎の受信チャンネル、入力機器などの設定及び送出チャンネルの設定制御を行う。ＴＶ番組用のケーブルモデム１０は、多チャンネルの変調器であり、光ケーブルの場合には更に光変復調器が加わる。【００３４】  Ｗｅｂ番組サーバ４は、メール機能、お知らせ番組、広報・広告番組、ＴＶ電話・会議サービス番組などを制御すると共にデータベスサーバ６に予め登録されているＷｅｂ番組タイムテーブルを参照してＷｅｂ番組を送出する。該番組データは、構内通信回線Ｌ２、Ｗｅｂ管理サーバ１１を経由してケーブルモデム１０接続される。
端末受信サーバ７は、受信端末１、１’・・からの上りデータを受信し、現在配信しているＷｅｂ番組を参照してデータの種別を判定して所定の転送先に転送する。【００３５】  図２に示す本発明による、ＷＥＢ番組の配信システムの第二の実施例の詳細システムを用いて、システムの詳細構成を説明する。
本発明のＣＡＴＶにおけるＷＥＢ配信システムは、
複数のＴＶ番組を受信し、所定の送信チャンネルに送出するＴＶ番組受信・送出装置９と、
ＣＡＴＶ回線プロバイダとして、公衆回線Ｎを経由して外部のＷｅｂ端末との通信制御を行うＷｅｂ管理サーバ１１と、
ＴＶ番組受信・送出装置９からのＴＶ番組データを変調出力すると共にＷｅｂ管理サーバ１１経由のＷｅｂデータを重畳・分離するケーブルモデム１０と、ＴＶ番組受信・送出装置９の受信制御を行うＴＶ番組受信制御部３１、所定のチャンネルに送出制御するＴＶ番組送出制御部３２などを有するＴＶ番組配信サーバ３と、Ｗｅｂ番組を読出し配信制御するＷｅｂ番組配信制御部４１、Ｗｅｂ番組を受信転送するＷｅｂ番組受信制御部４２、メール制御部４３、ＰＣ電話制御部４４、ＴＶ電話制御部４５、番組表作成を制御する番組表作成制御部、受信端末１ａをリモート制御する受信端末制御部４９、ＴＶ会議制御部４６、おしゃべり広場を制御するおしゃべり広場制御部４９３などを有するＷｅｂ番組制御サーバ４と、Ｗｅｂ番組の送出制御を行うＷｅｂ番組送出制御部５１、顧客の住所、契約ＩＤ、他の顧客データを管理する顧客データ管理部５２、顧客のログイン認証を行う顧客ログ管理部５３、外部通信制御部５８などを有するコンテンツ管理サーバ５と、受信端末１ａの操作データを受信する操作データ受信部７１、該操作データの種別を判定し所定のサーバへ振分制御するデータ判定・振分制御部７２、Ｗｅｂデータを受信するＷｅｂデータ受信部７４、ＡＶ（Ａｕｄｉｏ  Ｖｉｄｕａｌ）データを受信するＡＶデータ受信部７４、ＦＡＸデータを受信するＦＡＸデータ受信部７５などを有する端末受信サーバ７と、番組名、種別、番組ＩＤなどのＴＶ番組データ６１、Ｗｅｂ番組データ６２、Ｗｅｂデータ６３、ＡＶデータ６４、文字データ６５、ＦＡＸデータ６６、ＴＶ番組タイムテーブル６７、Ｗｅｂ番組タイムテーブル６８、操作データ６９などを記憶するデータベースサーバ６と、構内通信回線Ｌ２からなるＷｅｂ番組配信装置２、とで基本構成されている。【００３６】  次いで、図３（１）に示す本発明による受信端末部の構成図を用いて受信端末の構成及び機能を説明する。
ＣＡＴＶ回線Ｌ１には、受信チャンネルを選択しデコードするチャンネルセレクタ・デコーダ１１０及びＷｅｂデータ分岐機能を有するルータ１１１とでなるセットトッボックス１ｂが接続され、デコードされたＡＶ出力は受信端末１ａのＡＶ端子に入力され、一方ルータ１１１の一端はＬＡＮ端子に接続される。又チャンネルセレクタ・デコーダ１１０は受信端末１ａが制御する。
受信端末１ａは、大型の表示部１００と、スピーカなどの音声出力部１０１と図示していないＷｅｂ制御部（ブラウザー機能）とで構成されている。Ｗｅｂ制御部には動画像を取り込むカメラ１０３、遠方の音声を取り込む集音マイクなどの音声入力手段１０４がＡＶ入力端子に接続されている。又、受信端末１ａの操作は、リモコン１０５若しくは表示部１００に付設されたタッチパネルを用いておこなわれる。
本事例の表示部１００にはＴＶ番組１００ａが表示され、周辺部は番組操作用のＷｅｂ番組を表示している。Ｗｅｂ画面は、チャンネル操作ボタン１００ｂ，バーナ広告表示部１００ｃ、選択操作部１００ｄ，番組タイトル表示部１００ｅなどで構成されている。【００３７】  さらに詳細動作の説明を続ける。
（Ｗｅｂ番組の制作）
Ｗｅｂ番組の制作は、内部Ｗｅｂサーバ８を用いて制作され、データベースサーバ６のＷｅｂ番組データ６２エリアに記録登録される。番組制作に際して特定のＴＶ番組コンテンツにリンクが必要な場合は、ＴＶ番組データ及びタイムテーブルデータを読出し該当箇所のリンクデータを添付することが出来きる。該リンクデータによりＴＶ番組とＷｅｂ番組の同期連携が可能となり、特定のＴＶ番組画面にバーナ広告、番組解説、情報検索などのＷｅｂ番組を重畳表示することが出来る。又、リンクの必要の無いＷｅｂ番組は、内部制作もしくは外部制作したものを受け入れ、データベースサーバ６のＷｅｂ番組データ６２エリアに記録登録する。【００３８】  （受信端末の操作データ取込）
受信端末１ａの操作データは、表示部１００にＴＶ番組がＰＩＰ（Ｐｉｃｔｕｒｅ  Ｉｎ  Ｐｉｃｔｕｒｅ）表示された、Ｗｅｂ番組画面１００ａ，１００ｂ，１００ｃ，１００ｄ、１００ｅを用いて、リモコン１０５又は表示画面上に付設されたタッチパネルにより入力され、Ｗｅｂデータとして端末受信サーバ７の操作データ受信部７１に送られる。受信した該操作データはデータ判定・振分制御部７２に転送され、さらに、該制御部は該当Ｗｅｂ番組画面データを参照してデータの種別を判定し、転送先別に振分転送する。
ＴＶ番組のチャンネル選択は、原則として受信端末１ａ内部で自己処理されるが、Ｗｅｂ番組制御サーバ４からの要求に応じてＷｅｂデータとして端末サーバ７のＷｅｂデータ受信部７４に送信入力される。又、Ｗｅｂ番組の選択データも同様にＷｅｂデータ受信部７４に送信入力される。【００３９】  （メールサービス・手書きメール）
インターネットプロバイダ機能の電子メールサービスは、Ｗｅｂ番組制御サーバ４のメール制御部４３が行いメールボックスは図示していないがデータベスサーバ６に設けられる。但し、メールサービスは図示していない専用メールサーバとセキュリティ端末とを追加設置して運用することも出来る。
さらに、公衆回線経由で他のプロバイダへの接続することも出来る。同様に外部のＷｅｂサイトの利用も可能である。
追加設置された手書きメール制御部４９１は、受信端末１ａのタッチパネルやマウス操作データを画像データと認識し、メール添付データとしてメール手段で転送する。もしくはＦＡＸデータに変換してデータベースサーバ６のＦＡＸデータ６６エリアに一旦記憶し、該ＦＡＸデータをＦＡＸ手段で相手先に転送する。【００４０】  （ＰＣ電話）
一般的なＰＣ電話の利用には、受信端末側にＰＣ電話アダプタが必要となるが、本願のＣＡＴＶ端末装置１に於いては、内蔵のマイクとスピーカの利用を前提に同一ネットワーク内だけの利用として説明する。
ＰＣ電話利用者の受信端末１ａはＰＣ電話利用のＷｅｂ番組を選択受信し、該Ｗｅｂ番組のダイヤルボタン若しくはブックマークにより、通話先のＰＣ電話番号を操作入力すると、該ＰＣ電話番号は端末受信サーバ７経由でＰＣ電話制御部４４に転送される。ＰＣ電話制御部４４は、データベースサーバ６の顧客管理データ６９を参照して、相手先受信端末１ａ’に着信音もしくは着信通知画面のＷｅｂデータを送出し、相手先からオンフックのデータが返送されると通話の開始となり、以降  デジタル音声データによるオンライン通話制御が行われる。【００４１】  （ＴＶ電話・ＴＶ会議・おしゃべり広場）
前述のＰＣ電話と同様同一ネットワーク内だけの利用として説明する。
受信端末側の装置は、受信端末１ａ、１ａ’マイク１０４、カメラ１０３、リモコン１０５などを用いる。
ＴＶ電話利用者の受信端末１ａはＴＶ電話利用のＷｅｂ番組を選択受信し、該Ｗｅｂ番組のダイヤルボタン若しくはブックマークにより通話先のＴＶ電話番号を操作入力すると、該ＴＶ電話番号は端末受信サーバ７経由でＴＶ電話制御部４５又はＴＶ会議制御部４６に転送される。ＴＶ電話番号番号は、複数番号の指定入力が可能で且つ、ブックマークにグループ登録することが出来る。
両制御部４５、４６は、データベースサーバ６の顧客管理データ６９を参照して、相手先受信端末１ａ’１ａ”に着信音もしくは着信通知画面のＷｅｂデータを送出し、相手先からオンフックのデータが返送されると通話の開始となり、以降  デジタル画像データと音声データによるオンライン通話制御が行われる。音声データと動画画像データは高速データ転送速度を求めれられるのでＡＶデータ受信部７３が設けられている。
「おしゃべり広場」のサービスは、ＴＶ会議の仕組みを利用し、おしゃべり広場制御部４９３は参加者を募り確定し、コンテンツ管理サーバ５のグループ管理部に通知する。この後の動作は、前述のＴＶ会議と同じくデジタル画像データと音声データによるオンライン通話制御が行われる。
図３の（２）各種表示画面に示す、（ハ）テレビ会議画面は一実施例であり４画面のマルチ表示とし「Ａ」「Ｂ」「Ｃ」「Ｄ」の４人参加のＴＶ会議画面であり、ＴＶ電話の場合は２画面となる。
会議などで参考資料が必要な場合、受信端末１ａより該参考資料の添付データをＷｅｂデータ受信部７４に送信し、ＴＶ会議制御部４６はＷｅｂ番組として配信する。【００４２】  （ＶＯＤ［Ｖｉｄｅｏ  Ｏｎ  Ｄｅｍａｎｄ］機能）
ＶＯＤ制御部４９５は、データサーバ６に予め登録しているＶＯＤ用ＴＶ番組及びＷｅｂ番組の検索出力機能と、顧客が希望する番組の一時記憶機能を機能を持つ。
ＶＯＤ制御部４９５はＷｅｂ番組配信制御部４１にＶＯＤ受付番組の配信指令を出し、顧客は該ＶＯＤ受付番組を用いて、希望の番組の検索出力機能もしくは受信番組の一時記憶機能を選択操作する、該選択操作データは端末サーバ７を経由してＶＯＤ制御部４９５に入力される。【００４３】  希望番組の検索出力の場合、希望番組データに基づきデータベースサーバ６のＴＶ番組データ６１もしくはＷｅｂ番組データ６３の内、再配信が許可されている番組データのみ検索し、顧客の受信端末１ａに返信し、該顧客から確認の操作データを受取り、その旨を顧客管理部５２に知らせると共に該当する番組データを読出し、ＴＶ番組受信・送出装置９もしくはＷｅｂ番組配信制御部４１に該番組の送出指令と、該当顧客の受信端末１ａに番組受信許可を出す。
番組が有料の場合には、コンテンツ管理サーバ５の課金管理部５７を通じてデータベースサーバ６の課金データ６９１エリアに追加登録する。
ＶＯＤ番組の送出に際して番組データを高速で読出し、時間軸を１／１０〜１／１００の圧縮伝送とし、受信端末側１ａに内蔵もしくは外付けの大容量記憶装置に一旦記憶した後、低速読出しによりリアルタイムの番組データとすることが出来る。【００４４】  ＴＶ番組の一時記憶の場合、ＶＯＤ制御部４９５は、受信端末１ａより、受信チャンネルを添付した操作データを受付け、データベースサーバ６のＴＶ番組タイムテーブル６７を参照して受信中のＴＶ番組を特定し、該番組データを顧客保存データ６９２エリアに顧客データ、タイトル、日時、チャンネルデータを添付して一時保存する。
顧客保存データの容量は、顧客との個別契約により制限を受け、一杯に成った場合、前の記録に上書きとするか、もしくは利用不可とするかの選択肢が用意されている。【００４５】  （受信端末のリモート制御）
受信端末１ａ、１ａ’、１ａ”の起動・休止、受信Ｗｅｂ番組の選択、受信チャンネルの選択、警報音の発呼などをリモート制御する目的で、Ｗｅｂ番組制御サーバ４には受信端末制御部４９が設けられ。受信端末制御番組は特定のＷｅｂチャンネルを通じて常時ホットライン扱いされ、該受信端末１ａ、１ａ’、１ａ”が休眠中で在っても、このチャンネルに起動指令が出されると、受信端末全体もしくは特定区域を起動するシステムがＣＡＴＶ端末装置１内に設置されている。【００４６】  （緊急広報放送）
ＣＡＴＶの地域性を活かした番組として、公共の広報、災害情報及び非難情報、尋ね人情報、防犯情報など地域やグループを特定した番組の配信があり、Ｗｅｂ番組サーバ４の広報制御部４９２は、該番組制作と配信を目的として設けられている。
緊急情報は、各種防災機関、警察や消防、自治体や自治会、各種学校などから、メール、ＦＡＸ、Ｗｅｂデータなどの形式で受信する。広報番組の形式は予め取り決められテンプレート化されており、受信データを該テンプレートに流込むことより、Ｗｅｂ上の広報番組の自動作成と送出制御が行われる。さらに、特定のＴＶ番組のチャンネルを加えてのライブ番組も選択出来る。【００４７】  （緊急広報放送の配信）
緊急広報番組は、特定の地域、グループ、世代などに限定して木目細かに配信するのが最適である。幸いＣＡＴＶ局は、契約者の地域、市町村、丁目、番地、顧客の選択サービス、電話番号、ＦＡＸ番号、メールアドレスなどの顧客情報を顧客管理データとしてデータサーバ９に登録している。
実際の水害非難命令の番組制作と番組配信の例で、そのフローを説明する。
自治体から河川氾濫の予測に基づく命令の情報が電子メールやＦＡＸにより、Ｗｅｂ受信部７４及びＦＡＸデータ受信部７５が非難情報データを受信すると、該データはＷｅｂデータ６３エリアおよびＦＡＸデータ６９エリアに一旦記憶させると共に広報放送制御部４９２にも転送される。該広報放送制御部４９２は、添付データもしくは予め取り決められた条件データをコンテンツ管理サーバ５のグループ管理部５４に通知する。グループ管理部５４部は、顧客データ６９を参照して、送信先の顧客グループを自動作成して、Ｗｅｂ番組配信制御部４１と受信端末制御部４９に通知する。広報放送制御部４９２は、番組の送出及び受信端末の起動指令を出す。この際、ＦＡＸ手段やＰＣ電話手段を用いて避難情報を送信することも可能である。【００４８】  （御用聞き機能）
Ｗｅｂ番組サーバ４の御用聞き制御部４８は、Ｗｅｂ配信制御部４１に、予め登録した顧客の受信端末１ａに向けて、御用聞き番組の送出指令を出す。顧客が商品やサービスの注文操作を行うと、該注文操作データは端末受信サーバ７の操作データ受信部７１が受信し、データ判定・振分制御部７２は注文データとしてコンテンツ管理サーバ５の受発注管理部５６に転送すると共に顧客保存データエリア６９２に一旦記憶する。受発注管理部５６は該注文データを発注先にＦＡＸまたは電子メールで通知すると共に顧客に電子メールで注文請書を発行する。【００４９】  （番組予定表）
Ｗｅｂ番組制御サーバ４の番組表作成制御部４９４は、Ｗｅｂ番組の基本画面で番組表ボタンが選択されると、現在視聴中のチャンネルデータが添付された操作データを端末受信サーバ７経由で受け取る。該番組表作成制御部４９４は、現在時点を起点に少なくても２種類の番組表を作成する。第一の番組表は図３の（２）の（ニ）示す現時点でのチャンネル毎の画像付き番組表、第二の番組予定表は図示していないが、チャンネル毎・時間毎の番組予定表である。
第二の番組予定表の作成機能を説明する。
番組表作成制御部４９４は、ＴＶタイムテーブル６７を参照してＴＶ番組データ６１から時間毎の番組タイトルデータ及びタトル画像データを抽出する。これらのデータをテンプレートに流し込み番組予定表番組データが作成され、Ｗｅｂ番組データ６２エリアに登録されると共にＷｅｂ送出制御部５１より送出される。【００５０】  （マーケティング制御）
Ｗｅｂ番組制御サーバ４のマーケティング制御部４７は、マーケティング用のＷｅｂ番組を利用して視聴者の反応データを収拾するものである。収拾するマーケティングデータは、アンケートデータ、利用番組データ、画面内の興味箇所のデータ、文書データなど多岐に渡る。
受信端末１ａの操作データに基づくデータは、マーケティング制御部４７の指示によりデータベースサーバ６のマーケティングデータ６９３エリアに加算蓄積される。一方利用番組データは、グループ管理部５４と受信端末制御部４９の隠し機能を利用して単位時間毎の利用番組データを収拾し、所定のフォームで同様マーケティングデータ６９３アリアに加算蓄積する。
【産業上の利用可能性】
【００５１】  以上の説明は、ＣＡＴＶネットワークに新たなサービスの提供をすることが出来るが、さらに、「お喋り広場」「グループ参加型カラオケ」などのサービスが付加される。
【図面の簡単な説明】
【００５２】
【図１】  本発明による、ＷＥＢ番組の配信システムの第一の実施例の基本構成図である。
【図２】  本発明による、ＷＥＢ番組の配信システムの第二の実施例の詳細システムである。
【図３】  本発明による受信端末部の構成図及び各種表示画面である。
【図４】  従来技術によるＣＡＴＶ番組の配信システム図である。
【符号の説明】
【００５３】Ｌ１  ＣＡＴＶ回線
Ｌ２  構内通信回線
Ｎ  公衆回線
１、１’  ＣＡＴＶ端末装置
１ａ、１ａ’  受信端末
２  Ｗｅｂ番組配信装置
８  内部Ｗｅｂサーバ
９  ＴＶ番組受信・送出装置
１０  ケーブルモデム
１１  Ｗｅｂ管理サーバ
３  ＴＶ番組配信サーバ
３１  ＴＶ番組受信制御部
３２  ＴＶ番組送出制御部
４  Ｗｅｂ番組制御サーバ
４１  Ｗｅｂ番組配信制御部
４２  Ｗｅｂ番組受信制御部
４３  メール制御部
４４  ＰＣ電話制御部
４５  ＴＶ電話制御部
４６  ＴＶ会議制御部
４７  マーケティング制御部
４８  御用聞き制御部
４９  受信端末制御部
４９１  メール制御部
４９２  広報放送制御部
４９３  おしゃべり広場制御部
４９４  番組表作成制御部
４９５  ＶＯＤ制御部
５  コンテンツ管理サーバ
５１  Ｗｅｂ番組送出制御部
５２  顧客データ管理部
５３  顧客ログ管理部
５４  グループ管理部
５５  番組保存制御部
５６  受発注管理部
５７  課金管理部
５８  外部通信制御部
６  データベースサーバ
６１  ＴＶ番組データ
６２  Ｗｅｂ番組データ
６３  Ｗｅｂデータ
６４  ＡＶデータ
６５  文字データ
６６  ＦＡＸデータ
６７  ＴＶ番組タイムテーブル
６８  Ｗｅｂ番組タイムテーブル
６９  顧客管理データ
６９１  課金データ
６９２  顧客保存データ
６９３  マーケティングデータ
７  端末受信サーバ
７１  操作データ受信部
７２  データ判定・振分制御部
７３  ＡＶデータ受信部
７４  Ｗｅｂデータ受信部
７５  ＦＡＸデータ受信部
１００  表示部
１０１  音声出力部
１０３  カメラ
１０４  マイク
１０５  リモコン
１１０  チャンネルセレクタ・デコーダ
１１１  ルータ
【図１】
2007037070.tif 000003
【図２】
2007037070.tif 000004
【図３】
2007037070.tif 000005
【図４】
2007037070.tif 000006